(57)【要約】【課題】車椅子を利用する人に、生地の性質に左右されずに作成可能であり、快適性及び審美性に優れたズボンタイプの下衣を提供する。【解決手段】腹部対応部材、左右脚部対応部材、後下半身対応部材からなる下衣の仕上がり形態を側面から見て、胴対応部は略鉛直、臀部対応部は湾曲、大腿対応部は略水平、膝対応部は湾曲、下腿対応部は略鉛直、裾開口縁は略水平という形状を保つように、臀部対応部の両脇に複数のタックを設け、当該部位を湾曲させ、左右脚前面対応部材の膝前面対応部の両脇に複数のタックを設けるか、あるいはギャザーを寄せることで当該部位を湾曲させる。同時に、腹部対応部材と左右脚前面対応部材を縫着させたとき、略直角をなすような形状に設計し、尻ぐりに縫い合わせを生じさせないために、後下半身対応部材は一枚裁ちにする。上記下衣において、左右の脇線上に、始点を胴開口縁上とし、終点を股ぐりより下方とする「あき」を設ける。【選択図】図１
2013127135.tif 000002
【特許請求の範囲】
【請求項１】
座姿勢における着用者の下半身の後ろ側を覆い、側面から見ると腰部対応部は略鉛直、臀部対応部は湾曲し、大腿対応部は略水平となり、後方から見ると臀部対応部が扁平U字状に湾曲するようなタックが、臀部対応部の両縁に複数、横方向あるいは求心状に設けられ、一枚裁ちであることを特徴とした後下半身対応部材と、着用者の腹部から股間部までを覆う腹部対応部材と、着用者の右脚前面を覆う右脚前面対応部材と、着用者の左脚前面を覆う左脚前面対応部材で構成され、腹部対応部材の面が、左右脚前面対応部材のそれぞれの面が略直角をなして縫着され、その縫着線が着用者の鼠蹊溝に沿っていることを特徴とした車椅子利用者用のズボンタイプの下衣。
【請求項２】
上記左右脚前面対応部材の膝対応部の両縁に、複数のタックか、ギャザーを有し、側面から見ると、膝対応部は湾曲し、下腿対応部は略鉛直であることを特徴とする請求項１に記載の下衣。
【請求項３】
「あき」が左右の脇線上に存在し、上記「あき」の始点を胴開口縁上とし、終点を股ぐりより下方とすることを特徴とする請求項１または２に記載の下衣。
【発明の詳細な説明】
【技術分野】
【０００１】
本発明は肢体が不自由で車椅子を利用する者に適した下衣に関するものである。
【背景技術】
【０００２】
従来のズボンタイプの下衣は立位における快適性を重視したもので、座姿勢をとった時に様々な問題が生じるものである。
図２は、立位において着用者に過不足なくフィットする従来の非伸縮性の生地からなる長ズボンタイプの下衣を着用しての座姿勢の様態を表したもので、これに基づき上記問題を説明する。
【０００３】
図２に示す下衣の臀部対応部Ｃ６は座姿勢で当該部位が必要とする空間を確保していない。よって、座姿勢時は臀部が無理に臀部対応部の生地を押し広げることになる。このため臀部は該生地が戻ろうとする反作用の力を受け圧迫される。これにより、着用感が窮屈であるばかりでなく、当該部位の血流が阻害されるという問題があった。
また、上記作用に伴い、腰部対応部Ｃ５は臀部方向に引っ張られ、腰部Ｂ２が露出する。ウエストベルトＣ１は臀部方向へ引っ張られ、腹部Ｂ３を圧迫する。鼠頸部対応部Ｃ４は臀部方向に引っ張られ鼠頸部を圧迫する、という問題が生じていた。
一方、立位時と比較して座姿勢時は鼠蹊部周辺の体表面は収縮するので、鼠蹊部対応部Ｃ４の生地は座姿勢時、余って寄り溜まる状態になる。同時に、下腹部対応部Ｃ２の生地と股間部対応部Ｃ３の生地も余って浮き上がったり、波打って起伏した様態になり、フィット感がないうえに見栄えが悪いという問題があった。
さらに、臀部同様、膝部においても、膝前面対応部Ｃ７が座姿勢時の膝に十分な空間を確保していないと、座姿勢時は膝が無理に膝前面対応生地を押し広げることになり、膝前面は生地が戻ろうとする反作用の力により圧迫される。これにより、着用感が窮屈であるばかりでなく、当該部位の血流が阻害されるという問題があった。
同時に、上記作用に伴い、膝後面対応部Ｃ８の生地は膝前面方向へ引っ張られ、膝の後ろ側を圧迫する。裾前方Ｃ９は膝前面方向に引っ張られ、裾前方Ｃ９が持ち上がり、立位時より足首Ｂ４が露出するという問題も起きる。
また、従来のズボンタイプの下衣は尻ぐりの縫着により局所的段差が生じている。これは、車椅子利用者にとっては、蓐瘡の発症または既にある蓐瘡の悪化の原因になる場合があった。同様に、股ぐりの縫着により生じた局所的段差は、股間部の中心と重なり、当該部位における違和感や不快感を訴える人もいる。
以上の問題点は、主材（布等）が厚くて硬いものほど顕著で、スリムスタイルデザインのような、立位で過不足なくフィットするものほど強く感じられるものである。
それゆえ、車椅子利用者がズボンタイプの下衣を着用する際は、自身のサイズより大きめか、伸縮性に富む素材で作られたものを選択せざるを得ない。また、サイズが大きめであっても、硬くて厚い素材の下衣（ジーンズパンツやレザーパンツ等）は、尻ぐりの縫着による局所的段差が著しく、車椅子利用者には着用しがたいアイテムである。
加えて、着脱に必要な「あき」は、股上に設けられた「あき」が最も流通しているデザインであるが、臀部を持ち上げられない肢体不自由者にとっては上記「あき」では開口が小さく着脱操作が非常に困難であった。
【０００４】
以上の問題を解消すべく提案されたズボンタイプの下衣であれば、尻ぐりの縫い合わせがないという点においては、特許文献１のように、一枚裁ちの部材で下衣を構成する方法や、特許文献２のように、臀部対応部分を切り欠いて、当該部位に一枚生地を縫い合わせる方法で作成された下衣があった。
着用者の座姿勢における臀部や膝部が必要とする空間を確保したという点では、特許文献３のような構成部材をたてに接ぐ方法や、特許文献４のような主にたて方向にダーツを設ける方法や、特許文献５のように臀部対応部の両縁によこ方向のタックを複数設ける方法や、特許文献６のように腰部布と脚部布を人体の屈曲した時の形態に沿う横の切り替えで分割し、接合することによって、立体形状を保持する方法で作成された下衣があった。
また、身動きしにくい人の着脱が容易になるような「あき」を確保した下衣は、特許文献７のように、ズボンの両脇に沿ってウエスト開口部から膝下に亘る切れ目を形成し、該切れ目にスライドファスナーを装着して開閉自在としたパジャマの提案があった。
【先行技術文献】
【特許文献】
【０００５】
【特許文献１】特開２００８−２９７６９３号公報
【特許文献２】特開２００７−０５６３８４号公報
【特許文献３】特開２００４−０１１０９１号公報
【特許文献４】特開２００３−１２９３０８号公報
【特許文献５】欧抄００１４６２０１６号公報
【特許文献６】特開昭５０−８３１５３号公報
【特許文献７】特開平０７−２４３１０５号公報
【発明の概要】
【発明が解決しようとする課題】
【０００６】
前記特許文献１は、本願発明と同じ一枚裁ちの部材で構成された下衣ではあるが、立姿勢を基準に設計されたものであり、着用者の座姿勢において臀部や膝部が必要とする空間を十分に確保していない。これにより、座姿勢時に臀部対応部や膝前面対応部が主材（布等）を無理に押し広げることになり、よって生地から反作用の力による圧迫を受け、着用感が窮屈であり、血流が阻害される可能性を残している。
前記特許文献２は、尻ぐりに縫い合わせを生じさせない下衣であるが、着用者の座姿勢に臀部が必要とする空間を十分に確保しておらず、臀部対応部に伸縮性のある素材を用いるか、生地をバイアスに使うことで、臀部が当該部対応生地の不足分を押し広げることに対処している。よって、素材の伸縮性に左右されずに作成することは不可能である。
前記特許文献３は、複数の構成部材をたてに接ぐことで座姿勢における臀部が必要とする空間を確保しているが、縫い合わせによって生じる段差の上に着用者が乗ることになり、車椅子利用者が発症しやすい辱瘡の一因を排除できていないだけでなく、縫合箇所が多い。
前記特許文献４は、下衣の半分以上に亘るたて方向のダーツを設けることで腰対応部に対して大腿対応部が前方に屈曲するように仕立ててあるが、縦方向のダーツによって胴対応部は略鉛直、大腿対応部は略水平、下腿対応部は略鉛直をなすまで屈曲させることは困難であり、着用者の鼠蹊部に過不足なく添う形状にはできず、これを無理に実行するならば、主材（布等）に過度の負担をかけることになろう。また、この方法では、仮に各部位が略直角の屈曲をなせたとしても、主材（布等）にチェックやストライプの柄物を用いると、その柄を激しく歪ませ、美観を損なう可能性がある。また、ダーツによって生じる段差の上に着用者が乗ることになり、車椅子利用者が発症しやすい辱瘡の一因を排除できていない。
前記特許文献５は、臀部対応部の両縁と膝対応部の両縁に複数のタックを設けることで、当該部位に湾曲部を形成するものであるが、「通常の衣服との違いが見られない」ことを目的とした構造であり、鼠蹊部周辺の生地の寄り溜まりや、股間部や下腹部周辺で生地が浮き上がったり、波打って起伏するという問題に対しての考慮がない。
前記特許文献６は、前記特許文献中唯一、人体屈曲時に描かれる関節部の線にそって横方向に切り替えた線を有することで立体形状を保持するものであり、下衣前面においては、良好なフィット感を期待できるが、下衣後面の構造は縦横に切り替え線があり、着用者は縫い合わせによって生じる段差の上に乗ることになるので、車椅子利用者が辱瘡を発症させたり、悪化させたりする可能性がある。
そして、前記特許文献１〜６は、肢体不自由者にとって困難な下衣の着脱操作への負担を軽減することへの考慮がない。
前記特許文献７の構造は、体躯を伸ばした状態で有効なものであり、座姿勢においてはスライドファスナーや面ファスナーのような硬いテープ状のものは屈曲箇所に沿わないので、開閉が困難であり、ボタンやスナップなどの点で留めるタイプのものを用いれば、屈曲箇所において、接合点の間の生地が浮き上がって開口し、肌や下着が見える可能性がある。
そして、前記特許文献６を除くすべてにおいて、前身頃の鼠蹊部に対応する部分を屈折させる工夫がなく、胴対応部と大腿対応部が略直角の屈曲をなしていないので、鼠蹊部対応部の生地は寄り溜まる状態になり、フィット感がないうえに見栄えが悪いという問題を残している。
また、股間の中心線と股ぐりの縫着線が重なっており、縫着によって生じた局所的厚みが、当該部位における違和感や不快感の原因になるという問題も残している。
【０００７】
以上、側面から見たとき、胴対応部は略鉛直、大腿対応部は略水平、下腿部は略鉛直をなし、座姿勢において臀部や膝部が必要とする空間を十分に確保している下衣、すなわち、当該対応部の主材（布等）を無理に押し広げる必要がなく、また、屈曲箇所において生地が寄り溜まったり、波打って起伏することなく着用者のからだに主材（布等）が添うよう設計された下衣でありながら、正中線に重なる箇所には縫い合わせによる局所的厚みがなく、着脱しやすく、且、材質や柄に左右されずに容易に作成可能であり、主材（布等）に過度の負担をかけずに製作可能なズボンタイプの下衣はなかった。
【０００８】
そこで、本発明は、側面から見たとき、胴対応部は略鉛直、大腿対応部は略水平、下腿部は略鉛直をなし、座姿勢において臀部や膝部が必要とする空間を十分に確保しているので、当該対応部の主材（布等）を無理に押し広げる必要がなく、また、屈曲箇所において生地が寄り溜まったり、波打って起伏することなく着用者のからだに主材（布等）が添うよう設計された下衣でありながら、正中線に重なる箇所には縫い合わせによる局所的厚みがなく、着脱しやすく、且、材質や柄に左右されずに容易に作成可能であり、主材（布等）に過度の負担をかけずに製作可能なズボンタイプの下衣を提供することを課題とする。
【課題を解決するための手段】
【０００９】
上記課題を解決するため、本発明にかかるズボンタイプの下衣は、座姿勢における着用者の下半身の後ろ側を覆い、側面から見ると腰部対応部は略鉛直、臀部対応部は湾曲し、大腿対応部は略水平となり、後方から見ると臀部対応部が扁平U字状に湾曲するようなタックが、臀部対応部の両縁に複数、横方向あるいは求心状に設けられ、一枚裁ちであることを特徴とした後下半身対応部材と、着用者の腹部から股間部までを覆う腹部対応部材と、着用者の右脚前面を覆う右脚前面対応部材と、着用者の左脚前面を覆う左脚前面対応部材で構成され、腹部対応部材の面が、左右脚前面対応部材のそれぞれの面が略直角をなして縫着され、その縫着線が着用者の鼠蹊溝に沿っていることを特徴とするものである。
【００１０】
また、上記左右脚前面対応部材の膝対応部の両縁に、複数のタックか、ギャザーを有し、側面から見ると、膝対応部は湾曲し、下腿対応部は略鉛直であるように仕立ててもよい。
【００１１】
また、「あき」を左右の脇線上に設け、上記「あき」の始点を胴開口縁上とし、終点を股間より下方とすることとしてもよい。
【発明の効果】
【００１２】
本発明による下衣は、臀部中央に対応する部分に尻ぐりの縫い合わせによる厚みがないので、当該部位に蓐瘡を生じさせにくいとともに既にある蓐瘡を悪化させにくい。また、尻ぐりのみならず、着用者が乗る面はダーツや部材の縫い合わせによる局所的厚みがなく完全にフラットである。同時に、股ぐりの縫着線も股間の中心線上になく、縫い合わせによる局所的厚みが股間の中心線と重なることによって生じる当該部位における違和感や不快感がない。
また、本発明による下衣は、着用者の座姿勢における下半身の形状、すなわち、胴部は略鉛直、股関節は略直角に屈折し、大腿部は略水平で、膝関節は略直角に屈折し、下腿部は略鉛直、足部は略水平という形状を再現し、座姿勢時に着用者の臀部や膝が必要とする空間を十分に確保しているので、当該部位が主材（布等）を無理に押し広げることがない。したがって、下衣の主材（布等）は伸縮性のあるものを用いる必要がない。そして、主材（布等）を押し広げたことの反作用による圧迫はないので、着用感の窮屈さや、当該部位における血流阻害は生じない。同時に腰部の露出、股間部や腹部への圧迫や主材（布等）の食い込み、裾前方の持ち上がりによる足首の露出といった問題も生じない。加えて、鼠蹊部、下腹部、股間部の周辺においても主材（布等）が過不足なくフィットし、各部位における主材（布等）の寄りだまりや浮き上がり、波打って起伏するといった問題が生じない。
また、主材（布等）の布目の方向をほとんど歪ませることなく作成でき、主材（布等）に負担をかけないばかりか、多様な柄の主材（布等）を用いることが可能で、また、縫合箇所も少なく、容易に製作できる。
本発明による下衣は、股より下の位置まで開く、両側に設けられた「あき」により、着脱が容易であるだけでなく、座姿勢を前提として仕立てた下衣に「あき」を設けているため、座姿勢時にて屈曲箇所に波打った起伏は生じず、面ファスナーのような硬いテープ状のものを装着することが可能であり、ボタンやスナップなど点で留めるタイプの留め具を用いた場合でも肌や下着が見えてしまうといった問題も生じない。
以上の効果を有したズボンタイプの下衣を、車椅子を利用する人に提供することができる。
【図面の簡単な説明】
【００１３】
【図１】本発明に係る下衣を斜め前から見た斜視図である。（実施例１）
【図２】従来の下衣の着用時での座姿勢を示す側面図である。（実施例１）
【図３】本発明に係る下衣の側面図である。（実施例１）
【図４】本発明に係る下衣の腹部対応部材と左右脚前面対応部材を示した図である。（実施例１）
【図５】本発明に係る下衣の後下半身対応部材を示した図である。（実施例１）
【図６】人体の座姿勢における右下半身を斜め前から見た斜視図である。（実施例１）
【図７】本発明に係る下衣の前面図である。（実施例１）
【図８】本発明に係る下衣の後面図である。（実施例１）
【図９】本発明に係る下衣の腹部対応部材と右脚前面対応部材を縫着した様態を示す図である。（実施例１）
【図１０】本発明に係る下衣を斜め後ろから見た斜視図である。（実施例１）
【図１１】本発明に係る下衣を斜め前から見た斜視図である。（実施例２）
【発明を実施するための形態】
【００１４】
胴対応部Ｄは略鉛直、臀部対応部は湾曲、大腿対応部は略水平、膝対応部は湾曲、下腿対応部は略鉛直、裾開口縁は略水平という形状を保つという目的を、最小の部材数で、アウターとしての下衣の美観を損なわず実現した。
【実施例１】
【００１５】
図１は本発明に係る下衣の実施例１（Ｋ１）を斜め前から見た図であり、着用者を標準サイズの成人女性と見立て、その座姿勢における下半身のボディラインに過不足なく沿うスリムタイプの長ズボンデザインに仕立ててあり、「あき」には８個のスナップＡ１を備え、臀部対応部の両脇にはそれぞれ４本のタックＡ２と、左右膝対応部の両脇にもそれぞれ４本のタックＡ３を有し、あきどまりＡ４を大腿対応部の中程に有しているものを例として採用した。
【００１６】
図３は上記下衣Ｋ１の仕上がり形態を側面から見たときの形状を示している。本発明に係る下衣は、着用者の座姿勢における下半身の形状、すなわち、胴部は略鉛直、股関節は略直角に屈折し、大腿部は略水平で、膝関節は略直角に屈折し、下腿部は略鉛直、足部は略水平という形状を再現したものであり、該下衣Ｋ１の胴対応部Ｄ１０２は略鉛直、臀部対応部Ｄ１０３は湾曲、大腿対応部Ｄ１０４は略水平、膝対応部Ｄ１０５は湾曲、下腿対応部Ｄ１０６は略鉛直、裾開口縁Ｄ１０７は略水平という形状を保つように設計製作されている。
【００１７】
上記形状を保つための下衣Ｋ１の構成部材を、図４〜５で示す。
Ｐ１は着用者の座姿勢の状態での腹部から股間部までを覆う腹部対応部材であり、
Ｐ２は着用者の右脚前面を覆う右脚前面対応部材であり、
Ｐ３は右脚前面対応部材Ｐ２の左右対称形で着用者の左脚前面を覆う左脚前面対応部材であり、
Ｐ４は着用者の下半身の後ろ側を覆い、一枚裁ちの生地からなる後下半身対応部材
であり、
図６で示す着用者の座姿勢における右下半身Ｊ１の、
前正中線Ｓ１０１、
ウエストライン前面側Ｓ２０１、
胴体側線Ｓ３０１、
鼠蹊溝線Ｓ４０１、
股間部と椅子の座面との境界線Ｓ５０１
で囲まれた範囲をドレーピングしたものを、平面に写し取ることによって得たパターンの、前正中線Ｓ２０１に対応する縁を２つ折りの生地の「わ」に重ね、すべての縁に縫い代を適宜つけて裁断することにより腹部対応部材Ｐ１が得られ、
鼠蹊溝線Ｓ４０１、
脚外側線Ｓ３０２、
大腿と股間部の境界線（鼠蹊溝線の延長）と椅子の座面との交点を始点とし、膝内側面の中心までの最短距離を通り、下腿部内側線に合流する線Ｓ６０１、
足首囲線の前面側Ｓ７０１
で囲まれた範囲を、膝対応部の両縁にタックを入れてドレーピングしたものを、平面に写し取ることによって得たパターンを、２つ折りの生地に重ね、すべての縁に縫い代を適宜つけて裁断することによって右脚前面対応部材Ｐ２と、左脚前面対応部材Ｐ３が得られ、
後正中線Ｓ１０２、
ウエストライン後面側Ｓ２０２、
胴体側線Ｓ３０１〜脚外側線Ｓ３０２、
股間部と椅子の座面との境界線Ｓ５０１、
大腿と股間部の境界線（鼠蹊溝線の延長）と椅子の座面との交点を始点とし、膝内側面の中心までの最短距離を通り、下腿部内側線に合流する線Ｓ６０１、
足首囲線の後面側Ｓ７０２
で囲まれた範囲を、臀部対応部の両縁にタックを入れてドレーピングしたものを、平面に写し取ることによって得たパターンの、後正中線Ｓ１０２に対応する縁を２つ折りの生地の「わ」に重ね、すべての縁に縫い代を適宜つけて裁断することにより後下半身対応部材Ｐ４が得られる。（なお、図Ｐ１〜４の縫い代分を示すことは便宜上省略した。）
よって、これらの構成部材の中心線と辺（縫線）は以下のとおり、図６で示す着用者の座姿勢における右下半身Ｊ１上の人体の計測基準線に対応している。
なお、左下半身は右半身の線対称形であり、したがって、上記下衣の各部材の左半身対応部分も右半身対応部分の線対称形になるため、着用者の左半身の計測基準線と、構成部材における左半身対応部分の辺（縫線）に符号を表示すること、ならびにこれらの説明は省略する。
腹部対応部材Ｐ１における
中心線Ｔ１０１は前正中線Ｓ１０１に対応している。
胴開口縁右側Ｔ２０１は、ウエストライン前面側Ｓ２０１に対応している。
右脇線Ｔ３０１は、胴体側線Ｓ３０１に対応している。
右鼠蹊溝対応縁Ｔ４０１は、鼠蹊溝対応縁Ｓ４０１に対応している。
下縁右側Ｔ５０１は、股間部と椅子の座面との境界線Ｓ５０１に対応している。
右脚対応部材Ｐ２における
脇線Ｕ３０２は、脚外側線Ｓ３０２に対応している。
上縁Ｕ４０１は、鼠蹊溝線Ｓ４０１に対応している。
股下線Ｕ６０１は、大腿と股間部の境界線（鼠蹊溝線の延長）と椅子の座面との交点を始点とし、膝内側面の中心までの最短距離を通り、下腿部内側線に合流する線Ｓ６０１に対応している。
裾開口縁Ｕ７０１は、足首囲線の前面側Ｓ７０１に対応している。
後下半身対応部材Ｐ４における
中心線Ｖ１０２は後正中線Ｓ１０２に対応している。
上縁Ｖ２０２はウエストライン後面側Ｓ２０２に対応している。
右脇線Ｖ３０１は、胴体側線Ｓ３０１〜脚外側線Ｓ３０２に対応している。
股間対応部縁右側Ｖ５０１は、股間部と椅子の座面との境界線Ｓ５０１に対応している。
右股下線Ｖ６０１は、大腿と股間部の境界線（鼠蹊溝線の延長）と椅子の座面との交点を始点とし、膝内側面の中心までの最短距離を通り、下腿部内側線に合流する線Ｓ６０１に対応している。
裾開口縁Ｖ７０２は、足首囲線の後面側Ｓ７０２に対応している。
なお、右脚前面対応部材Ｐ２における膝部対応部Ｄ２０５の両縁と、後下半身対応部Ｐ４における臀部対応部Ｄ２０３の両縁の斜線部はタックを入れる位置を示している。
【００１８】
右脚前面対応部材Ｐ２における膝対応部Ｄ２０５の両脇に施されたタックＡ３は、図３に示すように、仕上がり時には、膝対応部Ｄ１０５を側面から見て三日月上に湾曲させると同時に、図７に示すように前方から見てもアーチ状に湾曲させる効果を有する。このタックＡ３により、図３で示すように本発明に係る下衣の大腿対応部Ｄ１０４は略水平、下腿対応部Ｄ１０６は略鉛直になり、且、着用者の座姿勢における膝部を包むに不足のない空間を確保できる。よって、着用者の膝前面が下衣の膝前面対応部Ｄ１０５の前面側の生地を押し広げることがないので、膝前面は生地が戻ろうとする反作用の力による圧迫を受けず、窮屈さや、当該部位の血流が阻害されるという問題は起きない。また、膝後面周辺の生地が膝前面方向へ引っ張られ、膝の後ろ側を圧迫することもない。そして、裾前方が膝前面方向に引っ張られて持ち上がり、足首が露出することもない。
なお、該タックＡ３をギャザーに変えても上記効果を期待できる。
【００１９】
後下半身対応部材Ｐ４における臀部対応部Ｄ２０３の両縁に施されたタックＡ２は、図３で示すように、仕上がり時には、臀部対応部を側面から見て三日月上に湾曲させると同時に、図８で示すように後方から見ても扁平U字状に湾曲させる効果を有する。このタックにより、図３で示すように本発明に係る下衣の大腿対応部Ｄ１０４は略水平、胴対応部Ｄ１０２は略鉛直になり、且、着用者の座姿勢における臀部を包むに不足のない空間を確保できる。よって、着用者の臀部が下衣の臀部対応部Ｄ１０３の生地を無理に押し広げることがないので、臀部は生地が戻ろうとする反作用の力による圧迫を受けず、窮屈さや、当該部位の血流が阻害されるという問題は起きない。また、腰部対応部が臀部方向に引っ張られ、腰部が露出することや、胴開口縁や鼠頸部周辺の生地が臀部側に引っ張られ肉体に食い込んだりすることもない。
【００２０】
腹部対応部材Ｐ１の右鼠蹊溝対応縁Ｔ４０１と、右脚前面対応部材Ｐ２の鼠蹊溝対応縁である上縁Ｕ４０１は、それぞれ着用者の鼠蹊溝を再現した略弧形状であり、これらを縫合すると着用者の座姿勢における股関節部に対応した空間を確保しつつ、且、腹部対応部材Ｐ１と右脚前面対応部材Ｐ２の縫合線は着用者の座姿勢における鼠蹊溝に沿う。よって、鼠頸部周辺に生地が余って寄り溜まることはない。また、図９に示すように腹部対応部材Ｐ１の面が右脚前面対応部材Ｐ２の面に対して、側面から見ると略直角をなし、且、上から見ると腹部対応部材Ｐ１の両縁は着用者の体型に適合するような湾曲を有し、右脚前面対応部材Ｐ２は着用者の体型に適合するようなトンネル型の形状をなし、下腹部から大腿部にかけて、着用者の座姿勢にフィットする形状となる。
【００２１】
裾開口縁Ｄ１０７においては、すでに、右脚前面対応部材Ｐ２の膝対応部Ｄ２０５に施されたタックＡ３またはギャザーの効果により、裾部前方の持ち上がりは解消できているが、より美しいアウトラインを追求するに当たり、右脚前面対応部材Ｐ２の裾開口縁Ｕ７０１はゆるやかに凸湾曲した略弧状で、後下半身対応部材Ｐ４の右裾開口縁Ｖ７０２はゆるやかに凹湾曲した略弧状を描くことで、座姿勢における着用時に裾開口縁Ｄ１０７を略水平にできる。
【００２２】
図１０で示すように、本発明に係る下衣は後下半身対応部材が一枚仕立てであり、尻ぐりの縫い合わせがない。よって、従来の下衣において尻ぐりの縫い合わせによって生じる局所的段差が車椅子利用者にとって蓐瘡の発症または既にある蓐瘡の悪化の原因になる、という問題を解決できている。
また、後下半身対応部材Ｐ４の股間対応部縁右側Ｖ５０１や内股対応部右側Ｅ３は股ぐりを持たず、腹部対応部材の股間対応部右側Ｅ１と右脚前面対応部材の内股対応部Ｅ２が着用者の座姿勢時に必要とされる股ぐりのすべてを担い、股間対応部における縫合線は、大腿部と股間部の境界線（鼠蹊溝線Ｓ４０１）と、股間部と椅子の座面との境界線Ｓ５０１上に沿っていて、正中線とは重ならない。よって、股ぐりの縫い合わせによって生じる局所的厚みが股間部の中心に当たることによる不快感を回避している。
【００２３】
図１、図３、図７で示すように、左右脇線上に胴開口縁Ｄ１０１から大腿対応部Ｄ１０４中程まで続く「あき」が設けられ、胴開口縁Ｄ１０１の両側を開けて、下半身を大腿部中程まで露出できる構造である。これにより、従来のズボンタイプの下衣によくみられる股上部を開閉するのみのあきでは着脱に小さくて不便という不満は解消できる。なお、この構造は、座姿勢のまま、あきを開くだけで股間を全開露出できるので、女性が尿瓶への排尿を着衣のまま行える可能性があるばかりでなく、自己導尿処置の操作が容易になることも期待できる。
補足として、「あき」にはファスナーを利用するのが理想的だが、当明細書申請時には、当該部位が有する曲線の形状に対応できるほどの曲線状ファスナーは未開発の模様である。現時点ではホックや、ボタン、スナップの利用が現実的である。また、面ファスナーの利用は美観や耐久性の面ではスナップやボタンに劣るが、握力の弱い人に対しては有効な手段である。
【００２４】
ウエストの始末は、ウエストベルト布を用いた始末でもよいが、見返しによる始末をした方が、縫い合わせで生じる段差が小さく、着用者の背と車椅子の背もたれとの当該部における擦れを最小限にとどめるという効果を期待できる。
【実施例２】
【００２５】
図１１の実施例は、実施例１が着用者を標準サイズの成人女性と見立て、その座姿勢における下半身のボディラインに過不足なく沿うスリムタイプの長ズボンデザインに仕立て、「あき」には８個のスナップＡ１を備えたのに対し、着用者を標準サイズの成人男性と見立て、腹部対応部材の股間対応部の幅を広くすることで、男性の股間部の形状に対応させ、デザインをストレートタイプとし、あきは面ファスナーで留める方法を採用し、腹部対応部材の中心にファスナーあきのフェイクとベルト布のフェイクをステッチで表現し、前ボタンを取り付ける、といった変更を行ったものである。
【００２６】
上記変更により、男性向け長ズボン型下衣として通用するデザインも生産できるので、着用対象者の拡大を期待できる。
【産業上の利用可能性】
【００２７】
本発明は、生地の厚みや伸縮性などの性質に影響されないので、レザーやデニムなど厚手の素材や、シルクやウールなどの展延に弱い素材などを使用しての製造も可能である。またビニル加工布などを用いれば、雨具としての製品化も可能である。よって、単一的な商品提供に留まらず、ファッション性を追求したデザイン展開や、素材の効能を活用した新商品の開発など、応用の幅が広く、多様なニーズに対応できる下衣を生産・提供できる。また、本発明のあきの構造は、女性あっても尿瓶への排尿を着衣のまま行うことができる可能性を有している。また、通常の下衣より自己導尿を行う操作が容易になりことも期待できる。これにより、排尿時における時間短縮が見込めるので、車椅子を利用する女性の外出の機会を促進できよう。
【符号の説明】
【００２８】
Ｋ１・・・・・・本発明による下衣の実施例１（成人女性用スリムタイプの長ズボン）
Ｋ２・・・・・・従来の下衣（非伸縮性素材からなる長ズボン）
Ｋ３・・・・・・本発明による下衣の実施例２（成人男性用ストレートタイプの長ズボン）
Ａ１・・・・・・スナップ
Ａ２・・・・・・臀部対応部のタック
Ａ３・・・・・・膝対応部のタック
Ａ４・・・・・・あきどまり
Ａ５・・・・・・前ボタン
Ｂ１・・・・・・（人体）胴部
Ｂ２・・・・・・（人体）腰部
Ｂ３・・・・・・（人体）腹部
Ｂ４・・・・・・（人体）足首
Ｃ１・・・・・・ウエストベルト
Ｃ２・・・・・・（従来のズボンタイプの下衣の）下腹部対応部
Ｃ３・・・・・・（従来のズボンタイプの下衣の）股間部対応部
Ｃ４・・・・・・（従来のズボンタイプの下衣の）鼠頸部対応部
Ｃ５・・・・・・（従来のズボンタイプの下衣の）腰部対応部
Ｃ６・・・・・・（従来のズボンタイプの下衣の）臀部対応部
Ｃ７・・・・・・（従来のズボンタイプの下衣の）膝前面対応部
Ｃ８・・・・・・（従来のズボンタイプの下衣の）膝後面対応部
Ｃ９・・・・・・（従来のズボンタイプの下衣の）裾前方
Ｄ１０１・・・・（本発明による下衣の仕上がり形態における）胴開口縁
Ｄ１０２・・・・（本発明による下衣の仕上がり形態における）胴対応部
Ｄ１０３・・・・（本発明による下衣の仕上がり形態における）臀部対応部
Ｄ１０４・・・・（本発明による下衣の仕上がり形態における）大腿対応部
Ｄ１０５・・・・（本発明による下衣の仕上がり形態における）膝対応部
Ｄ１０６・・・・（本発明による下衣の仕上がり形態における）下腿対応部
Ｄ１０７・・・・（本発明による下衣の仕上がり形態における）裾開口縁
Ｄ２０３・・・・（後下半身対応部材における）臀部対応部
Ｄ２０５・・・・（右脚前面対応部材における）膝対応部
Ｅ１・・・・・・（腹部対応部材における）股間対応部右側
Ｅ２・・・・・・（右脚前面対応部材における）内股対応部
Ｅ３・・・・・・（後下半身対応部材における）内股対応部右側
Ｊ１・・・・・・着用者の座姿勢における右下半身
Ｐ１・・・・・・（本発明による下衣の）腹部対応部材
Ｐ２・・・・・・（本発明による下衣の）右脚前面対応部材
Ｐ３・・・・・・（本発明による下衣の）左脚前面対応部材
Ｐ４・・・・・・（本発明による下衣の）後下半身対応部材
Ｓ１０１・・・・（人体の計測基準線で、着用者の下半身における）前正中線
Ｓ１０２・・・・（人体の計測基準線で、着用者の下半身における）後正中線
Ｓ２０１・・・・（人体の計測基準線で、着用者の右半身における）ウエストライン前面側
Ｓ２０２・・・・（人体の計測基準線で、着用者の右半身における）ウエストライン後面側
Ｓ３０１・・・・（人体の計測基準線で、着用者の右下半身における）胴体側線
Ｓ３０２・・・・（人体の計測基準線で、着用者の右半身における）脚外側線
Ｓ４０１・・・・人体の計測基準線で、着用者の右半身における）鼠蹊溝線
Ｓ５０１・・・・（人体の計測基準線で、着用者の座姿勢における右半身の）股間部と椅子の座面との境界線
Ｓ６０１・・・・（人体の計測基準線で、着用者の右半身における）大腿と股間部の境界線（鼠蹊溝線の延長）と椅子の座面との交点を始点とし、膝内側面の中心までの最短距離を通り、下腿部内側線に合流する線
Ｓ７０１・・・・（人体の計測基準線で、着用者の右脚における）足首囲線の前面側
Ｓ７０２・・・・（人体の計測基準線で、着用者の右脚における）足首囲線の後面側
Ｔ１０１・・・・（腹部対応部材の）中心線
Ｔ２０１・・・・（腹部対応部材の）胴開口縁右側
Ｔ３０１・・・・（腹部対応部材の）右脇線
Ｔ４０１・・・・（腹部対応部材の）右鼠蹊溝対応縁
Ｔ５０１・・・・（腹部対応部材の）下縁右側
Ｕ３０２・・・・（右脚前面対応部材の）脇線
Ｕ４０１・・・・（右脚前面対応部材の）上縁
Ｕ６０１・・・・（右脚前面対応部材の）股下線
Ｕ７０１・・・・（右脚前面対応部材の）裾開口縁
Ｖ１０２・・・・（後下半身対応部材の）中心線
Ｖ２０２・・・・（後下半身対応部材の）上縁
Ｖ３０１・・・・（後下半身対応部材の）右脇線
Ｖ５０１・・・・（後下半身対応部材の）股間対応部縁右側
Ｖ６０１・・・・（後下半身対応部材の）右股下線
Ｖ７０２・・・・（後下半身対応部材の）右裾開口縁
【図１】
2013127135.tif 000003
【図２】
2013127135.tif 000004
【図３】
2013127135.tif 000005
【図４】
2013127135.tif 000006
【図５】
2013127135.tif 000007
【図６】
2013127135.tif 000008
【図７】
2013127135.tif 000009
【図８】
2013127135.tif 000010
【図９】
2013127135.tif 000011
【図１０】
2013127135.tif 000012
【図１１】
2013127135.tif 000013